(57)【要約】【課題】簡単な操作で、所定の照明領域で必要な明るさを確保しながら、光害を解消または抑制することができる照明装置を提供する。【解決手段】照明装置１０は、ポール１２の上端部に整列配置された複数の照明器具１４を含む照明群１６と、地上から送信された点灯状態制御信号を中継して各照明器具１４に送信する中継装置３２と、点灯状態制御信号を中継装置３２に送信する操作ボックス２４とを備える。操作ボックス２４から中継装置３２に１つの点灯状態制御信号が送信されたとき中継装置３２から各照明器具１４に対して同一の点灯状態制御信号がそれぞれ送信される。そして、点灯状態制御信号を受けて複数の照明器具１４が調光されるとき、照明群１６において周辺領域に配置される照明器具１４は、照明群１６において他の領域に配置される照明器具に比べて、光量減少量が大きく調光可能である。【選択図】図１
2019133792.tif 000002
【特許請求の範囲】
【請求項１】
支持部材の上端部に整列配置された複数の照明器具を含む照明群と、
地上から送信された点灯状態制御信号を中継して前記各照明器具に送信する中継装置と、
前記点灯状態制御信号を前記中継装置に送信するコントローラと、を備え、
前記コントローラから前記中継装置に１つの点灯状態制御信号が送信されたとき前記中継装置から前記各照明器具に対して同一の点灯状態制御信号がそれぞれ送信され、前記点灯状態制御信号を受けて前記複数の照明器具が調光されるとき、前記照明群において周辺領域に配置される照明器具は、前記照明群において他の領域に配置される照明器具に比べて、光量減少量が大きく調光可能である、
照明装置。
【請求項２】
前記照明群は、中央領域に配置された照明器具と、該中央領域の周辺領域である左サイドおよび右サイドに配置された照明器具とを含み、前記点灯状態制御信号を受けて前記左サイドおよび前記右サイドの少なくとも一方の照明器具が前記中央領域の照明器具よりも光量減少量が大きく調光される、請求項１に記載の照明装置。
【請求項３】
前記照明群は、周辺領域である上部領域に配置された照明器具と、それ以外の領域に配置された照明器具とを含み、前記点灯状態制御信号を受けて前記上部領域の照明器具がそれ以外の領域の照明器具よりも光量減少量が大きく調光される、請求項１または２に記載の照明装置。
【請求項４】
前記コントローラから送信される点灯状態制御信号は、設定された時間帯または周囲環境照度に応じて変更される、請求項１から３のいずれか一項に記載の照明装置。
【請求項５】
前記照明群において周辺領域に配置された照明器具は、他の領域に配置された照明器具に比べて、消灯状態から点灯状態に移行するのに要する時間が長く、点灯状態から消灯状態に移行するのに要する時間が短い、請求項１〜４のいずれか一項に記載の照明装置。
【発明の詳細な説明】
【技術分野】
【０００１】
本開示は、照明装置に関する。
【背景技術】
【０００２】
従来、運動場、競技場、野球場等の野外施設に照明設備が設けられていることがある。このような照明設備があることで、夜間にスポーツや競技などを行うことができる。
【０００３】
運動場等に設置される照明設備は、適当な間隔で離れた場所に立設された複数の照明装置で構成されるのが一般的である。これら複数の照明装置は、ポールの上端部に設置された多数の照明器具を含んで構成され、これらの照明器具で構成される照明群が地上から上方へ離れた高所に設置されることが多い。
【０００４】
また、離れた場所からリモコンスイッチ等によって、複数の照明装置に対して点灯、消灯、調光などを制御できる構成が公知である。例えば、特許文献１には、光源及び通信モジュールを有する複数の照明装置と、通信モジュールを介した通信によって複数の照明装置の調整用の設定値を設定する操作端末とを備え、操作端末はユーザによる１回の操作をトリガとして複数の照明装置に対して共通の設定値を設定する構成とした照明システムが開示されている。この照明システムによれば、複数の照明装置に対して共通の設定値を容易に設定できると記載されている。
【先行技術文献】
【特許文献】
【０００５】
【特許文献１】特開２０１５−２３０８９５号公報
【発明の概要】
【発明が解決しようとする課題】
【０００６】
上記のような運動場等に設置された照明装置は、稼動を開始した後に近隣住民に対して照明灯がまぶしく感じられることがある。このような事態を「光害」ということがある。このような光害は照明装置に含まれる多数の照明器具のうち一部の照明器具から照射される光が運動場等の外へ漏れることによって発生する。
【０００７】
上記のような光害が発生した場合、運動場や照明装置の管理者は、光害が発生しにくいようにするためには照明装置に含まれる一部の照明器具の向きを変更するといった対応が必要になる。しかし、野外の照明装置の場合、多数の照明器具がポールの上端部に支持されて高所に設置されていることが多い。そのため、一部の照明器具の向きの変更を依頼された照明設備業者は、高所作業車を用いて手作業で照明器具の向きを調整しなければならず、大変な労力と時間を要することになる。
【０００８】
上記のような光害が生じた場合、特許文献１に記載されるような技術を提供して、無線による遠隔操作によって照明装置の明るさ等を調光することが考えられる。しかし、照明装置に含まれる全ての照明器具について一括に減光させると、運動場等で所望の明るさが得られなくなる。他方、照明装置に含まれる全ての照明器具にアドレスを予め割り当てておき、個々の照明器具についてアドレスと調光用設定値を指定して調光操作を別々に行うこととすると調光作業が煩雑になる。
【０００９】
本開示の目的は、簡単な操作で、所定の照明領域で必要な明るさを確保しながら、光害を解消または抑制することができる照明装置を提供することである。
【課題を解決するための手段】
【００１０】
本開示に係る照明装置は、支持部材の上端部に整列配置された複数の照明器具を含む照明群と、地上から送信された点灯状態制御信号を中継して各照明器具に送信する中継装置と、点灯状態制御信号を中継装置に送信するコントローラと、を備える。コントローラから中継装置に１つの点灯状態制御信号が送信されたとき中継装置から各照明器具に対して同一の点灯状態制御信号がそれぞれ送信され、点灯状態制御信号を受けて複数の照明器具が調光される。このとき、照明群において周辺領域に配置される照明器具は、照明群において他の領域に配置される照明器具に比べて、光量減少量が大きく調光可能である。
【発明の効果】
【００１１】
本開示に係る照明装置によれば、簡単な操作で、所定の照明領域で必要な明るさを確保しながら、光害を解消または抑制することができる。
【図面の簡単な説明】
【００１２】
【図１】本開示の一実施形態の照明装置を概略的に示す図である。
【図２】照明装置に含まれる照明器具の構成を示すブロック図である。
【図３】照明器具に記憶される信号番号および明るさ設定値のデータの一例を示す図である。
【図４】照明器具に記憶される信号番号および明るさ設定値のデータの別の例を示す図である。
【図５】照明器具に記憶される信号番号および明るさ設定値のデータの更に別の例を示す図である。
【発明を実施するための形態】
【００１３】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１４】
図１は、本開示の一実施形態の照明装置１０を概略的に示す図である。照明装置１０は、ポール（支持部材）１２の上端部に整列配置された複数の照明器具１４を含む照明群１６を備える。本実施形態では、３段６列で１８個の照明器具１４が整列配置されている例が示される。照明器具１４の数は、照明装置１０が設置される場所の広さや照明装置１０によって照明される照明領域において必要とされる明るさ等に応じて適宜に変更され得る。
【００１５】
照明群１６を構成する照明器具１４の数は、本実施形態では各段において６個と同数に設定されているが、各段の照明器具１４の数は同数でなくてもよい。例えば、中段の照明器具１４の数を５個として、上段および下段の照明器具１４の間に対応するように配置して全体として千鳥状に整列配置されてもよい。
【００１６】
本実施形態において照明群１６を構成する照明器具１４は、正面視で横長の長方形状をなすように配列されている。ただし、これに限定されるものではなく、照明群１６を構成する照明器具１４は、正面視で、縦長の長方形状に配列されてもよいし、正方形状に配列されてもよいし、上方から下方に向かって横方向寸法が小さくなる（又は大きくなる）台形状に配列されてもよい。
【００１７】
照明群１６を構成する照明器具１４は、ポール１２の上端部に固定された固定部材１８に取り付けられている。固定部材１８は、例えば金属製の長尺部材を組合わせて構成される枠体として形成することができる。各照明器具１４は、光照射方向がそれぞれ調整できるように固定部材１８に対して向き変更可能に取り付けられるのが好ましい。
【００１８】
本実施形態においてポール１２は、例えば、長尺円筒状の金属製パイプで構成されている。ポール１２の内部は中空になっており、後述するように各照明器具１４に電力供給するための電源線が配策されている。
【００１９】
なお、本実施形態では、ポール１２によって複数の照明器具１４を含む照明群１６を支持する例を示すが、これに限定されるものではない。支持部材は、例えば金属製の角形パイプやＨ型鋼等の長尺部材で構成されてもよい。また、ポール１２の本数は、１本に限らず、複数本のポール１２で固定部材１８を支持する構成であってもよい。
【００２０】
ポール１２の下端部は、基台２０に固定されている。基台２０は、例えばコンクリートブロック等によって好適に構成されている。なお、ポール１２の下端部を構成する基台２０は、地面Ｇに直接固定されるものに限定されず、例えば競技場のスタンド等の建造物であってもよい。
【００２１】
ポール１２の下端部の外周には、電源ボックス２２および操作ボックス２４が設置されている。電源ボックス２２は、電源線２６を介して外部電源２８に電気的に接続されている。外部電源として、例えば、商用２００Ｖの交流電圧を用いることができる。
【００２２】
電源ボックス２２から引き出された電源線２９は、ポール１２の内部を通って上方に配策され、ポール１２の上端部または固定部材１８の下端部に設置された分岐ボックス３０に接続されている。分岐ボックス３０からは各照明器具１４へと延びる電源線（図示せず）が設けられており、これにより各照明器具１４に電力が供給されるようになっている。
【００２３】
操作ボックス２４内は、照明装置１０に含まれる照明器具１４の点灯、消灯、調光等を行う操作スイッチ（図示せず)が設けられている。操作ボックス２４は、例えば鍵付きの扉を備えている。照明装置１０の管理者は、鍵付きの扉を開けて、内部の操作スイッチを操作することで、照明装置１０を点灯、消灯、調光等することができる。操作スイッチは、例えば、押しボタン式、ダイヤル式、タッチパネル式等のどのようなタイプのものであってもよい。なお、操作ボックス２４が本開示におけるコントローラに相当する。また、本実施形態では操作ボックス２４が固定式である場合について説明するが、これに限定されるものではない。操作ボックス２４に相当するコントローラは、可動式、携帯式のものであってもよい。
【００２４】
操作ボックス２４には、送信器２５が設けられている。送信器２５は、操作スイッチの操作状態に応じた点灯状態制御信号を無線により送信する。なお、送信器２５からの点灯状態制御信号の送信は、無線に限定されるものではなく、通信線（有線）で行われてもよい。この場合、通信線をポール１２の内部に配線すると、電源線２９からのノイズの影響を受ける可能性がある。そのため、通信線は、電気的絶縁性および防水性の樹脂製パイプに挿通した状態でポール１２の外周面に沿って設置されるのが好ましい。
【００２５】
なお、本実施形態では、１つの照明装置１０に対応して１つの操作ボックス２４が設けられた例について説明するが、これに限定されるものではない。運動場等の複数の照明装置１０が設置されている場合、全ての照明装置１０を一括して操作できる操作スイッチが管理室等に設けられていてもよい。
【００２６】
照明装置１０において、ポール１２の上端部または固定部材１８の下端部には、中継装置３２が設置されている。中継装置３２は、地上の操作ボックス２４から無線で送信された点灯状態制御信号を中継して各照明器具１４に送信する機能を有する。中継装置３２から各照明器具１４への信号送信は、有線または無線のいずれで行われてもよい。
【００２７】
図２は、照明装置１０に含まれる照明器具１４の構成を示すブロック図である。照明器具１４は、受信部４０、制御部４２、調光回路４４および発光部４６を備える。受信部４０は、操作ボックス２４の送信器２５から送信された点灯状態制御信号を受信する機能を有する。受信部４０で受信された点灯状態制御信号は、制御部４２へ出力される。
【００２８】
制御部４２は、受信部４０から入力された点灯状態制御信号に基づいて、調光回路４４に動作信号を出力する。制御部４２は、例えば、マイクロコンピュータによって好適に構成される。制御部４２は図示しない記憶部を有しており、記憶部には点灯状態制御信号の番号と明るさの程度を表す設定値とを関連付けたデータが例えば表などの形式で予め記憶されている。制御部４２は、記憶部に記憶されたデータを参照することによって、点灯状態制御信号の番号に応じた明るさで発光部４６が点灯するように調光回路４４に対して動作信号（例えばＰＷＭ（Ｐｕｌｓｅ  Ｗｉｄｔｈ  Ｍｏｄｕｌａｔｉｏｎ）信号）を出力する。
【００２９】
調光回路４４は、制御部４２から入力される動作信号を受けて、外部電源２８から電源ボックス２２および分岐ボックス３０を介して供給された交流電圧を直流電圧に変換して発光部４６に印加する。また、調光回路４４は、制御部４２から入力される動作信号に応じて、発光部４６の明るさが１００％のフル点灯状態や、明るさ８０％、７０％、６０％、・・・などの調光された状態となるように直流電圧の電圧値を調整することができる。
【００３０】
発光部４６は、例えばＬＥＤ（Ｌｉｇｈｔ−Ｅｍｉｔｔｉｎｇ  Ｄｉｏｄｅ）を光源として含んでいる。発光部４６は、調光回路４４からの電力供給を受けて点灯される。また、発光部４６は、照明器具１４が受信する点灯状態制御信号に応じて、点灯、消灯、調光等が制御される。なお、発光部４６は、調光可能な光源であれば例えば有機ＥＬ（Ｅｌｅｃｔｒｏ  Ｌｕｍｉｎｅｓｃｅｎｃｅ）等の他の光源を含むものであってもよい。
【００３１】
図３は、照明器具１４に記憶される信号番号および明るさ設定値のデータの一例を示す図である。
【００３２】
照明器具１４の制御部４２には、点灯状態制御信号の種類を示す信号番号と明るさ設定値とが関連付けられて記憶されている。ここで、再び図１を参照すると、照明群１６を構成する照明器具１４は、照明群１６において周辺領域に配置されている照明器具１４と、照明群１６において中央領域に配置されている照明器具１４とが予め設定されている。
【００３３】
具体例として、本実施形態において３段６列に配置された１８個の照明器具１４のうち、左側２列に配置された６個の照明器具１４が左サイド照明器具として設定され、右側２列に配置された６個の照明器具１４が右サイド照明器具として設定されている。これらの左側および右側サイド照明器具が、周辺領域の照明器具に相当する。そして、中央２列に配置された６個の照明器具１４が中央照明器具として設定され、中央領域の照明器具に相当する。
【００３４】
図３を参照すると、左サイドの照明器具１４は左端の信号番号と「左サイド照明器具」の欄に記載された明るさ設定値を関連付けて記憶している。中央領域の照明器具１４は、左端の信号番号と「中央照明器具」の欄の記載された明るさ設定値を関連付けて記憶している。右サイドの照明器具１４は左端の信号番号と「右サイド照明器具」の欄に記載された明るさ設定値を関連付けて記憶している。
【００３５】
操作ボックス２４において信号番号１の点灯状態制御信号が選択されたとき、送信器２５から中継装置３２を介して各照明器具１４に信号番号１の点灯状態制御信号がそれぞれ送信される。この場合、全ての領域に配置される照明器具１４の明るさ設定値は１００であるため、各照明器具１４は１００％の明るさで点灯される。
【００３６】
これに対し、例えば、左サイドに配置された照明器具１４からの光が所定の照明領域外に漏れることによって光害が発生するとき、管理者は操作ボックス２４内の操作スイッチによって、信号番号２の点灯状態制御信号を選択することができる。この場合、左サイド照明器具１４の明るさが８０％に減光された状態に調光され、中央領域および右側領域の照明器具１４は明るさ設定値が１００％のフル点灯状態になる。このように同一の点灯状態制御信号を受けて照明群１６を構成する照明器具１４が調光されるとき、周辺領域（左サイド）に配置された照明器具１４は、照明群１６において他の領域（中央領域および右サイド）に配置される照明器具１４に比べて、光量減少量が大きく調光される。その結果、簡単な操作によって、照明装置１０による所定の照明領域の明るさを維持しながら、光害を解消または抑制することができる。
【００３７】
また、例えば、右サイドに配置された照明器具１４からの光が所定の照明領域外に漏れることによって光害が発生するとき、管理者は操作ボックス２４内の操作スイッチによって、信号番号３の点灯状態制御信号を選択することができる。この場合、右サイド照明器具１４の明るさが８０％に減光された状態に調光され、左サイドおよび中央領域の照明器具１４は明るさ設定値が１００％のフル点灯状態になる。このように同一の点灯状態制御信号を受けて照明群１６を構成する照明器具１４が調光されるとき、周辺領域（右サイド）に配置された照明器具１４は、照明群１６において他の領域（中央領域および左サイド）に配置される照明器具１４に比べて、光量減少量が大きく調光される。その結果、簡単な操作によって、照明装置１０による所定の照明領域の明るさを維持しながら、光害を解消または抑制することができる。
【００３８】
また、例えば、左サイドおよび右サイドに配置された照明器具１４からの光が所定の照明領域外に漏れることによって光害が発生するとき、管理者は操作ボックス２４内の操作スイッチによって、信号番号４の点灯状態制御信号を選択することができる。この場合、左サイドおよび右サイドの照明器具１４の明るさが８０％に減光された状態に調光され、中央領域の照明器具１４は明るさ設定値が１００％のフル点灯状態になる。このように同一の点灯状態制御信号を受けて照明群１６を構成する照明器具１４が調光されるとき、周辺領域（左サイドおよび右サイド）に配置された照明器具１４は、照明群１６において他の領域（中央領域）に配置される照明器具１４に比べて、光量減少量が大きく調光される。その結果、簡単な操作によって、照明装置１０による所定の照明領域の明るさを維持しながら、光害を解消または抑制することができる。
【００３９】
図４は、照明器具１４に記憶される信号番号および明るさ設定値のデータの別の例を示す図である。なお、図４中の信号番号１１は、図３中の信号番号１と同じである。
【００４０】
管理者は、左サイドおよび右サイドの少なくとも一方に配置されている照明器具１４によって光害が生じたときに、上述したように信号番号２〜４のいずれかの点灯状態制御信号を選択することができる。しかしながら、周辺領域に配置された照明器具１４を８０％に調光しただけでは不十分であった場合、管理者は、例えば、図４に示す信号番号１２〜１８のいずれかを選択することができる。
【００４１】
図４に示すように、信号番号１２または１３の点灯状態制御信号が選択された場合、左サイドの照明器具１４が７０％または５０％の明るさに調光され、中央領域および右サイドの照明器具１４は１００％のフル点灯状態に維持される。
【００４２】
また、信号番号１４または１５の点灯状態制御信号が選択された場合、右サイドの照明器具１４が７０％または５０％の明るさに調光され、左サイドおよび中央領域の照明器具１４は１００％のフル点灯状態に維持される。
【００４３】
また、信号番号１６〜１８のいずれかの点灯状態制御信号が選択された場合、左サイドおよび右サイドの照明器具１４が７０％、６０％または５０％の明るさに調光され、中央領域の照明器具１４は１００％のフル点灯状態に維持される。
【００４４】
このように、同一の点灯状態制御信号を受けて照明群１６を構成する照明器具１４が図４に示したデータにしたがって調光されるとき、周辺領域（左サイドおよび右サイドの少なくとも一方）に配置された照明器具１４は、照明群１６において他の領域（中央領域）に配置される照明器具１４に比べて、光量減少量が大きく調光される。その結果、簡単な操作によって、照明装置１０による所定の照明領域の明るさを維持しながら、光害を解消または抑制することができる。
【００４５】
なお、上記においては左側２列および右側２列の照明器具１４を「左サイド」および「右サイド」として同じ明るさで調光する場合について説明したが、これに限定されるものではない。左側２列および右側２列の照明器具１４について、最も外側に位置する列の照明器具１４の光量減光量をその内側に隣接する列の照明器具１４よりも大きく設定してもよい。これにより、最も外側の例の照明器具１４の光によって光害が発生しやすいことから、光害抑制効果をより一層高めることができる。
【００４６】
上述したように本実施形態の照明装置１０は、ポール１２の上端部に整列配置された複数の照明器具１４を含む照明群１６と、地上から送信された点灯状態制御信号を中継して各照明器具１４に送信する中継装置３２と、点灯状態制御信号を中継装置３２に送信する操作ボックス２４とを備える。操作ボックス２４から中継装置３２に１つの点灯状態制御信号が送信されたとき中継装置３２から各照明器具１４に対して同一の点灯状態制御信号がそれぞれ送信され、点灯状態制御信号を受けて複数の照明器具１４が調光される。このとき、照明群１６において周辺領域に配置される照明器具１４は、照明群１６において他の領域に配置される照明器具１４に比べて、光量減少量が大きく調光可能である。
【００４７】
より詳しくは、照明群１６は、中央領域に配置された照明器具１４と、該中央領域の周辺領域である左サイドおよび右サイドに配置された照明器具１４とを含み、点灯状態制御信号を受けて左サイドおよび右サイドの少なくとも一方の照明器具１４が中央領域の照明器具１４よりも光量減少量が大きく調光される。これにより、周辺領域（左サイドおよび右サイドの少なくとも一方）に配置された照明器具１４は、照明群１６において他の領域（中央領域）に配置される照明器具１４に比べて、光量減少量が大きく調光される。その結果、簡単な操作によって、照明装置１０による所定の照明領域の明るさを維持しながら、光害を解消または抑制することができる。
【００４８】
図５は、照明器具１４に記憶される信号番号および照度の明るさ設定値の更に別の例を示す図である。なお、図５中の信号番号２１は、図３中の信号番号１と同じである。
【００４９】
上記においては、照明群１６を構成する照明器具１４を横方向（または水平方向）で周辺と中央領域に区分けする例について説明したが、これに限定されるものではなく、照明群１６を構成する照明器具１４を上下方向で周辺と中央領域とに区分けして、同一の点灯状態制御信号を受けて異なる発光量で点灯するように制御してもよい。
【００５０】
具体的には、図１に示すように３段６列に配置された１８個の照明器具１４について、上段、中断および下段に区分けし、光害が発生しやすい周辺領域の照明器具を上段および下段の少なくともいずれか一方の照明器具１４として、図３を参照して説明したのと同様に照明装置１０を制御してもよい。
【００５１】
図５を図３と対比すると「左サイド照明器具」が「上段照明器具」、「右サイド照明器具」が「下段照明器具」にそれぞれ変わっているだけである。したがって、上段および下段の少なくとも一方の照明器具１４によって光害が生じている場合には、管理者は、信号番号２２〜２８のいずれかを選択することができる。この場合の調光状態は、図３を参照した説明において「左サイド照明器具」を「上段照明器具」に、「右サイド照明器具」を「下段照明器具」に読み替えたのと同じである。ここでの説明を省略する。
【００５２】
上述したように本実施形態の照明装置１０において、照明群１６は、周辺領域である上段および下段に配置された照明器具１４と、それ以外の中段に配置された照明器具１４とを含み、点灯状態制御信号を受けて上段および下段の少なくとも一方の照明器具１４がそれ以外の中段の照明器具１４よりも光量減少量が大きく調光されてもよい。
【００５３】
これにより、上段および下段の少なくともいずれかの照明器具１４が中央領域の照明器具１４に比べて光量減少量が大きく調光されることで、照明装置１０による所定の照明領域の明るさを維持しながら、光害を解消または抑制することができる。
【００５４】
なお、本開示に係る照明装置は、上述した実施形態および変形例に限定されるものではなく、本願の特許請求の範囲に記載された事項の範囲内で種々の変更や改良が可能である。
【００５５】
例えば、上記においては、照明群１６を構成する照明器具１４を水平方向または上下方向において周辺領域の照明器具１４と中央領域の照明器具１４とを区分けしたが、これに限定されるものではない。水平方向と上下方向とを組み合わせて周辺領域の照明器具１４と中央領域の照明器具１４とを区分けしてもよい。具体的には、左サイドの上段、中段および下段、右サイドの上段、中段および下段をそれぞれ別の周辺領域として区分けして、異なる明るさ設定値を割り当ててもよい。
【００５６】
また、上記の実施形態において、操作ボックス２４から送信される点灯状態制御信号は、設定された時間帯または周囲環境照度に応じて変更されてもよい。具体的には、操作ボックス２４内に計時部または時計を設け、時間帯によって点灯状態制御信号を次のように切り替える。例えば、１６時〜１７時では全ての領域の照明器具１４が５０％で点灯し、１７時〜１９時では全ての領域の照明器具１４が１００％で点灯する。そして、１９時〜２１時では、中央領域の照明器具１４が１００％で周辺領域の照明器具１４が７０％で点灯し、２１時〜２２時では中央領域の照明器具１４が１００％で周辺領域の照明器具１４が５０％で点灯する。
【００５７】
また、照明群１６において周辺領域に配置された照明器具１４は、他の領域である中央領域に配置された照明器具１４に比べて、消灯状態から点灯状態に移行するのに要する時間が長く、点灯状態から消灯状態に移行するのに要する時間が短くなるように制御してもよい。
【符号の説明】
【００５８】
１０  照明装置、１２  ポール（支持部材）、１４  照明器具、１６  照明群、１８  固定部材、２０  基台、２２  電源ボックス、２４  操作ボックス、２５  送信器、２６，２９  電源線、２８  外部電源、３０  分岐ボックス、３２  中継装置、４０  受信部、４２  制御部、４４  調光回路、４６  発光部、Ｇ  地面。
【図１】
2019133792.tif 000003
【図２】
2019133792.tif 000004
【図３】
2019133792.tif 000005
【図４】
2019133792.tif 000006
【図５】
2019133792.tif 000007